(57)【特許請求の範囲】
【請求項１】
放射性薬剤が投与された被検体から発生した放射線に基づいて被検体の核医学用データを求める核医学診断装置と、被検体に関するデータを収集するデータ収集装置とを備えて構成された診断システムであって、前記被検体から発生した放射線を検出する検出器群で構成された核医学用検出手段と、前記被検体に関するデータを検出する収集データ用検出手段とを備え、被検体を通す開口部を有したガントリ内に前記収集データ用検出手段を配設するとともに、前記核医学用検出手段の検出器群が前記収集データ用検出手段内に収容することができるように当該ガントリの開口部が貫通することで、前記核医学用検出手段の検出器群を前記ガントリの開口部に挿入可能に配設し、前記核医学診断装置は、基台と、その基台に対してスライド移動可能な支持部と、その支持部に支持された前記核医学用検出手段とを備え、前記支持部の移動に伴って、それに支持された前記核医学用検出手段を前記ガントリの開口部に挿入可能に配設することを特徴とする診断システム。
【請求項２】
放射性薬剤が投与された被検体から発生した放射線に基づいて被検体の核医学用データを求める核医学診断装置と、被検体に関するデータを収集するデータ収集装置とを備えて構成された診断システムであって、前記被検体から発生した放射線を検出する検出器群で構成された核医学用検出手段と、前記被検体に関するデータを検出する収集データ用検出手段とを備え、被検体を通す開口部を有したガントリ内に前記収集データ用検出手段を配設するとともに、前記核医学用検出手段の検出器群を前記ガントリの開口部に挿入可能に配設し、前記核医学診断装置は、基台と、その基台に立設された支持部と、その支持部に支持された前記核医学用検出手段とを備え、前記支持部および前記核医学用検出手段は固定であり、前記ガントリを前記基台に立設し、前記ガントリは、前記基台に対してスライド移動可能に構成することで、前記核医学用検出手段を前記ガントリの開口部に挿入可能に配設することを特徴とする診断システム。
【発明の詳細な説明】
【技術分野】
【０００１】
この発明は、核医学診断装置とデータ収集装置とを備えて構成された診断システムに係り、特に、各々の装置構造の技術に関する。
【背景技術】
【０００２】
上述した核医学診断装置、すなわちＥＣＴ(Emission Computed Tomography)装置として、ＰＥＴ(Positron Emission Tomography)装置を例に採って説明する。ＰＥＴ装置は、陽電子（Positron）、すなわちポジトロンの消滅によって発生する複数本のγ線を検出して複数個の検出器でγ線を同時に検出したときのみ被検体の断層画像を再構成するように構成されている。
【０００３】
このＰＥＴ装置では、放射性薬剤を被検体に投与した後、対象組織における薬剤蓄積の過程を経時的に測定することで、様々な生体機能の定量測定が可能である。したがって、ＰＥＴ装置によって得られる断層画像は機能情報を有する。
【０００４】
しかしながら、上述した断層画像では位置情報などの形態情報については乏しい。そこで、ＰＥＴ装置とＸ線ＣＴ装置とを組み合わせて、Ｘ線ＣＴ装置で得られた断層画像とＰＥＴ装置で得られた断層画像とを重ね合わせて機能情報および形態情報の２つの情報を得る診断システム（ＰＥＴ−ＣＴ装置）が近年用いられている（例えば、特許文献１、２参照）。Ｘ線ＣＴ装置の他に、核磁気共鳴装置 (MRI: magnetic resonance imaging)やトランスミッションなどに代表されるデータ収集装置とＰＥＴ装置とを組み合わせた診断システムもある。トランスミッションとＰＥＴ装置とを組み合わせた場合には、被検体に投与された放射性薬剤と同一の線源を被検体外で配設して、同一の線源から被検体にγ線を照射して、そのγ線に基づいて吸収補正データ（『トランスミッションデータ』とも呼ばれる）を求めて、その吸収補正データに基づいてＰＥＴ装置で得られた断層画像を補正する（例えば、特許文献３参照）。
【０００５】
上述した特許文献１、２に示すように、従来のＰＥＴ−ＣＴ装置では、被検体を載置する同一天板（ベッド）に対してＸ線ＣＴ用ガントリとＰＥＴ用ガントリとを被検体の体軸方向に並べて配設している。Ｘ線ＣＴ用ガントリとＰＥＴ用ガントリとに対して天板を移動させて、それぞれのデータを取得している。上述した特許文献３に示すように、従来のトランスミッションとＰＥＴ装置とを組み合わせた装置の場合には、トランスミッション用検出器とＰＥＴ用検出器（エミッション用検出器）とを備えたものがある。上述したＰＥＴ−ＣＴ装置と同様に、同一天板に対してトランスミッション用検出器とＰＥＴ用検出器とを被検体の体軸方向に並べて配設している。そして、トランスミッション用検出器とＰＥＴ用検出器とに対して天板を移動させて、それぞれのデータを取得している。
【特許文献１】特開２００５−３１２９３０号公報（第４，５，８頁、図１，５）
【特許文献２】特開２００５−１２１５３０号公報（第４頁、図１）
【特許文献３】特開２００７−８６０８９号公報（第４，５頁、図１）
【発明の開示】
【発明が解決しようとする課題】
【０００６】
しかしながら、ＰＥＴ装置と種類の異なるデータ収集装置（Ｘ線ＣＴ装置あるいはトランスミッション）とを上述のように体軸方向に並べているので、体軸方向にガントリが長くなり、装置が大型になる。天板から見て、後方に配設されたガントリでデータ収集を行う場合、被検体が人体（患者）のときには患者はガントリの長いトンネル内に挿入され、圧迫感を感じる。また、ガスマスクの装着などが必要な場合には使いづらい。また、長いガントリに遮られて検査中の患者の視認性が悪い。
【０００７】
この発明は、このような事情に鑑みてなされたものであって、ガントリを短くして核医学用データとともに異なる種類のデータを収集することができる診断システムを提供することを目的とする。
【課題を解決するための手段】
【０００８】
この発明は、このような目的を達成するために、次のような構成をとる。
すなわち、請求項１に記載の発明は、放射性薬剤が投与された被検体から発生した放射線に基づいて被検体の核医学用データを求める核医学診断装置と、被検体に関するデータを収集するデータ収集装置とを備えて構成された診断システムであって、前記被検体から発生した放射線を検出する検出器群で構成された核医学用検出手段と、前記被検体に関するデータを検出する収集データ用検出手段とを備え、被検体を通す開口部を有したガントリ内に前記収集データ用検出手段を配設するとともに、前記核医学用検出手段の検出器群が前記収集データ用検出手段内に収容することができるように当該ガントリの開口部が貫通することで、前記核医学用検出手段の検出器群を前記ガントリの開口部に挿入可能に配設し、前記核医学診断装置は、基台と、その基台に対してスライド移動可能な支持部と、その支持部に支持された前記核医学用検出手段とを備え、前記支持部の移動に伴って、それに支持された前記核医学用検出手段を前記ガントリの開口部に挿入可能に配設することを特徴とするものである。
また、請求項２に記載の発明は、放射性薬剤が投与された被検体から発生した放射線に基づいて被検体の核医学用データを求める核医学診断装置と、被検体に関するデータを収集するデータ収集装置とを備えて構成された診断システムであって、前記被検体から発生した放射線を検出する検出器群で構成された核医学用検出手段と、前記被検体に関するデータを検出する収集データ用検出手段とを備え、被検体を通す開口部を有したガントリ内に前記収集データ用検出手段を配設するとともに、前記核医学用検出手段の検出器群を前記ガントリの開口部に挿入可能に配設し、前記核医学診断装置は、基台と、その基台に立設された支持部と、その支持部に支持された前記核医学用検出手段とを備え、前記支持部および前記核医学用検出手段は固定であり、前記ガントリを前記基台に立設し、前記ガントリは、前記基台に対してスライド移動可能に構成することで、前記核医学用検出手段を前記ガントリの開口部に挿入可能に配設することを特徴とするものである。
【０００９】
［作用・効果］請求項１、２に記載の発明によれば、ガントリ内に収集データ用検出手段を配設するとともに、核医学用検出手段の検出器群をガントリの開口部に挿入可能に配設する。核医学用検出手段において、それを構成する検出器群は、通常、軸心周りに円状に配設されて構成されているので、検出器群を被検体に近接させて感度および空間分解能を上げるためには、検出器群の径は小さい方が好ましい。したがって、ガントリ内に収集データ用検出手段を配設するとともに、核医学用検出手段の検出器群をガントリの開口部に挿入可能に配設することで、ガントリの内径よりも小さく検出器群をそれぞれ配設することができて、検出器群を被検体に近接させて感度および空間分解能を上げることができる。
そのために、請求項１に記載の発明において、核医学診断装置は、基台と、その基台に対してスライド移動可能な支持部と、その支持部に支持された核医学用検出手段とを備え、支持部の移動に伴って、それに支持された核医学用検出手段をガントリの開口部に挿入可能に配設する。その結果、いずれの検出手段によるデータの収集も１つのガントリで行われ、ガントリを短くして核医学用データとともに異なる種類のデータを収集することができる。
【００１０】
また、請求項２に記載の発明において、ガントリ内に収集データ用検出手段を配設するとともに、核医学用検出手段の検出器群をガントリの開口部に挿入可能に配設するために、核医学診断装置は、基台と、その基台に立設された支持部と、その支持部に支持された核医学用検出手段とを備え、支持部および核医学用検出手段は固定であり、ガントリを基台に立設し、ガントリは、基台に対してスライド移動可能に構成することで、核医学用検出手段をガントリの開口部に挿入可能に配設する。その結果、いずれの検出手段によるデータの収集も１つのガントリで行われ、ガントリを短くして核医学用データとともに異なる種類のデータを収集することができる。
【発明の効果】
【００１１】
この発明に係る診断システムによれば、ガントリ内に収集データ用検出手段を配設するとともに、核医学用検出手段の検出器群をガントリの開口部に挿入可能に配設することで、いずれの検出手段によるデータの収集も１つのガントリで行われ、ガントリを短くして核医学用データとともに異なる種類のデータを収集することができる。
また、ガントリ内に収集データ用検出手段を配設するとともに、核医学用検出手段の検出器群をガントリの開口部に挿入可能に配設することで、ガントリの内径よりも小さく検出器群をそれぞれ配設することができて、検出器群を被検体に近接させて感度および空間分解能を上げることができる。
【実施例１】
【００１２】
以下、図面を参照してこの発明の実施例１を説明する。
図１は、実施例１に係るＰＥＴ−ＣＴ装置の側面図であり、図２は、実施例１に係るＰＥＴ−ＣＴ装置のブロック図である。なお、本実施例１では、核医学診断装置として、ＰＥＴ (Positron Emission Tomography) 装置を例に採って説明するとともに、データ収集装置としてＸ線ＣＴ装置を例に採って説明し、診断システムとしてＰＥＴ装置とＸ線ＣＴ装置とを組み合わせたＰＥＴ−ＣＴ装置を例に採って説明する。
【００１３】
図１に示すように、本実施例１に係るＰＥＴ−ＣＴ装置１は、水平姿勢（例えば仰向け（仰臥姿勢））の被検体Ｍを載置する天板２２を有した寝台２を備えている。天板１に載置された被検体Ｍの頭部を診断するためにＰＥＴ装置３とＸ線ＣＴ装置４とを備えている。ＰＥＴ−ＣＴ装置１は、この発明における診断システムに相当し、ＰＥＴ装置３は、この発明における核医学診断装置に相当し、Ｘ線ＣＴ装置４は、この発明におけるデータ収集装置に相当する。
【００１４】
寝台２は、上述した天板２２を支持するベッド２１と、天板２２とを備えている。天板２２はベッド２１に対してスライド移動可能である。本実施例１では、一連の診断（撮像）を始める前、あるいは一連の診断（撮像）を終了した時のみ天板２２を移動させ、ＰＥＴ装置３での診断時・Ｘ線ＣＴ装置４での診断時では天板２２を移動させないが、もちろん天板２２を移動させてもよい。
【００１５】
ＰＥＴ装置３は、基台３１と、その基台３１に対してスライド移動可能なＰＥＴ検出器支持部３２と、被検体Ｍから発生したγ線を検出し、ＰＥＴ検出器支持部３２に支持されたＰＥＴ検出器３３とを備えている。ＰＥＴ検出器支持部３２は、図１（ａ）に示す位置から図１（ｂ）に示す位置まで基台３１に対してスライド移動可能である。ＰＥＴ検出器支持部３２の移動に伴って、それに支持されたＰＥＴ検出器３３も移動する。
【００１６】
ＰＥＴ検出器支持部３２の構造については特に限定されない。例えば、基台３１に溝部を設け、その溝部に嵌合するラックをＰＥＴ検出器支持部３２の底部に配設するとともに、ＰＥＴ検出器支持部３２にモータを配設し、モータの駆動によって基台３１の溝部に嵌合されたラックを移動させることでＰＥＴ検出器支持部３２をスライド移動させてもよい。その他にも、基台３１にレールを配設し、ＰＥＴ検出器支持部３２にモータを配設するとともに、ＰＥＴ検出器支持部３２の底部に車輪等を配設して、モータの駆動によってレール上を移動するようにしてもよい。
【００１７】
ＰＥＴ検出器３３は、複数のγ線検出器群からなり、γ線検出器群を被検体Ｍの体軸の軸心周りに円状に配設するとともに、体軸方向に沿って配設してＰＥＴ検出器３３を構成している。ＰＥＴ検出器３３は、この発明における核医学用検出手段に相当する。
【００１８】
ＰＥＴ検出器３３のγ線検出器群は、シンチレータブロックとライトガイドと光電子増倍管と（いずれも図示省略）を備えている。シンチレータブロックは、複数個のシンチレータからなる。放射性薬剤が投与された被検体Ｍから発生したγ線をシンチレータブロックが光に変換して、変換されたその光をライトガイドが案内して、光電子増倍管が光電変換して電気信号に出力する。
【００１９】
一方、Ｘ線ＣＴ装置４は、被検体Ｍの頭部を通す開口部４１ａを有したガントリ４１を備えている。ガントリ４１内には、被検体ＭにＸ線を照射するＸ線管４２と、被検体Ｍを透過したＸ線を検出するＸ線検出器４３とを配設している。Ｘ線管４２およびＸ線検出器４３が互いに対向位置になるようにそれぞれを配設しており、モータ（図示省略）の駆動によってガントリ４１内でＸ線管４２およびＸ線検出器４３を被検体Ｍの体軸の軸心周りに回転させる。本実施例１では、Ｘ線検出器４３としてフラットパネル型Ｘ線検出器（ＦＰＤ）を採用している。もちろん、フラットパネル型Ｘ線検出器（ＦＰＤ）以外のＸ線検出器を用いてもよい。Ｘ線検出器４３は、この発明における収集データ用検出手段に相当する。
【００２０】
なお、上述したようにガントリ４１内にＸ線検出器４３を配設している。そして、本実施例１では、ＰＥＴ検出器３３のγ線検出器群をガントリ４１の開口部４１ａに挿入可能に配設している。図１（ｂ）に示す位置にＰＥＴ検出器３３が移動したときに、ＰＥＴ検出器３３のγ線検出器群はガントリ４１の開口部４１ａに挿入される。
【００２１】
なお、本実施例１では、上述したようにＰＥＴ装置３での診断時・Ｘ線ＣＴ装置４での診断時では天板２２を移動させないが、天板２２の移動に同期してガントリ４１を被検体Ｍの体軸方向に沿って移動させて、ＰＥＴ装置３の方を固定させてもよい。天板２２の移動に同期してガントリ４１を被検体Ｍの体軸方向に沿って移動させることで、被検体Ｍに対してガントリ４１を有したＸ線ＣＴ装置４は相対的に同じ位置に位置することになる。したがって、被検体Ｍの頭部はガントリ４１の開口部４１ａに挿入された状態で被検体Ｍの体軸方向に沿って移動することになる。
【００２２】
続いて、ＰＥＴ−ＣＴ装置１のブロック図について説明する。図２に示すように、ＰＥＴ−ＣＴ装置１は、上述した寝台２やＰＥＴ装置３やＸ線ＣＴ装置４の他に、ＰＥＴコンソール５とＣＴコンソール６とを備えている。本実施例１では、ＰＥＴ装置３用のコンソールとしてＰＥＴコンソール５を備え、Ｘ線ＣＴ装置４用のコンソールとしてＣＴコンソール６を備えたが、後述する実施例２のように、１つのコンソールとして一体となっていてもよい。
【００２３】
寝台２は、上述したベッド２１や天板２２の他に、寝台駆動制御部２３と寝台駆動部２４とを備えている。ＰＥＴ装置３は、上述した基台３１やＰＥＴ検出器支持部３２やＰＥＴ検出器３３の他に、位置検出センサ３４とＰＥＴ駆動制御部３５とＰＥＴ駆動部３６とＰＥＴデータ収集部３７とを備えている。Ｘ線ＣＴ装置４は、上述したガントリ４１やＸ線管４２やＸ線検出器４３の他に、Ｘ線ＣＴ駆動制御部４４とＸ線ＣＴ駆動部４５とＣＴデータ収集部４６とＸ線管制御部４７とを備えている。
【００２４】
ＰＥＴコンソール５は、データ収集部５１と画像再構成部５２と入力部５３と出力部５４と撮像制御部５５とを備えている。また、ＣＴコンソール６も、ＰＥＴコンソール５と同様に、データ収集部６１と画像再構成部６２と入力部６３と出力部６４と撮像制御部６５とを備えている。
【００２５】
寝台駆動制御部２３は、寝台駆動部２４を制御する。寝台駆動部２４はモータなどで構成されており、モータの駆動によって天板２２はベッド２１に対してスライド移動可能である。上述したように、本実施例１では、ＰＥＴ装置３での診断時・Ｘ線ＣＴ装置４での診断時では天板２２を移動させないが、後述する実施例２のように天板２２を移動させる場合には、寝台駆動制御部２３が寝台駆動部２４を制御することで、天板２２が移動する。寝台駆動制御部２３，ＰＥＴ駆動制御部３５，Ｘ線ＣＴ駆動制御部４４，Ｘ線管制御部４７，撮像制御部５５および撮像制御部６５は、中央演算処理装置（ＣＰＵ）などで構成されている。
【００２６】
位置検出センサ３４は、例えば上述したＰＥＴ検出器支持部３２にフォトセンサとして設けられており、ＰＥＴ検出器支持部３２が図１（ｂ）に示す位置までスライド移動したときに、フォトセンサの投光素子からの光が、透過型の場合にはガントリ４１によって遮られる（遮光される）あるいは反射型の場合にはガントリ４１によって反射されるのを利用して、図１（ｂ）に示す位置までＰＥＴ検出器支持部３２とともにＰＥＴ検出器３３が移動したことを検出する。また、図１（ｂ）に示す位置までＰＥＴ検出器３３が移動したことを位置検出センサ３４が検出したら、ＰＥＴ検出器３３の移動終了のタイミングをＰＥＴ駆動制御部３５に出力する。位置検出センサ３４については、上述したフォトセンサなどに代表される非接触型センサであってもよいし、マイクロスイッチなどに代表される接触型センサであってもよい。
【００２７】
ＰＥＴ駆動制御部３５は、ＰＥＴ駆動部３６を制御し、上述した位置検出センサ３４から移動終了のタイミングを受信したらＰＥＴ駆動部３６に制動命令を出力したり、撮像制御部５５にデータ収集の命令を出力する。ＰＥＴ駆動部３６は、ＰＥＴ検出器支持部３２に配設された上述したようなモータなどで構成されており、モータの駆動によってＰＥＴ検出器支持部３２は基台３１に対してスライド移動可能である。ＰＥＴ検出器支持部３２とともにＰＥＴ検出器３３を移動させる場合には、ＰＥＴ駆動制御部３５がＰＥＴ駆動部３６を制御することで、ＰＥＴ検出器支持部３２とともにＰＥＴ検出器３３が移動する。
【００２８】
一方、Ｘ線ＣＴ駆動制御部４４は、Ｘ線ＣＴ駆動部４５を制御し、Ｘ線検出器４２によってＸ線を検出し終えたら、撮像制御部６５にデータ収集の命令を出力する。Ｘ線ＣＴ駆動部４５は、上述したようなモータなどで構成されており、モータの駆動によってガントリ４１内でＸ線管４２およびＸ線検出器４３は被検体Ｍの体軸の軸心周りに回転可能である。Ｘ線管４２およびＸ線検出器４３を被検体Ｍの体軸の軸心周りに回転させる場合には、Ｘ線ＣＴ駆動制御部４４がＸ線ＣＴ駆動部４５を制御することで、Ｘ線管４２およびＸ線検出器４３が回転する。
【００２９】
ＰＥＴデータ収集部３７は、ＰＥＴ検出器３３で検出されたγ線に基づいてＰＥＴデータ（核医学用データ）を収集する。ＰＥＴデータ収集部３７は同時計数回路（図示省略）の機能等を備えている。ＰＥＴデータ収集部３７で収集されたＰＥＴデータをデータ収集部５１に送り込む。なお、データ収集部５１を介してデータ収集部６１に送り込むことも可能である。ＣＴデータ収集部４６は、Ｘ線検出器４３で検出されたＸ線に基づいて投影データをＣＴデータ（Ｘ線ＣＴ用のデータ）として収集する。ＣＴ収集部４４で収集されたＣＴデータをデータ収集部６１に送り込む。なお、データ収集部６１を介してデータ収集部５１に送り込むことも可能である。Ｘ線管制御部４７は、Ｘ線管４２に管電圧や管電流を付与してＸ線を発生させたり、Ｘ線管４２からのＸ線照射を開始あるいは終了する命令をＸ線管４２に出力する。
【００３０】
データ収集部５１は、ＰＥＴデータ収集部３７で収集されたＰＥＴデータを収集するとともに、データ収集部６１は、ＣＴデータ収集部４６で収集されたＣＴデータを収集する。このとき、ＰＥＴデータをデータ収集部５１からデータ収集部６１に送り込む、あるいはＣＴデータをデータ収集部６１からデータ収集部５１に送り込んで、ＰＥＴデータとＣＴデータとを重畳する。また、ＣＴデータ収集部４６で収集されたＣＴデータをトランスミッションデータとしてＰＥＴデータに作用させて、ＰＥＴデータの吸収補正を行ってもよい。データ収集部５１，６１は、重畳された投影データを画像再構成部５２，６２に送り込む。画像再構成部５２，６２は、データ収集部５１，６１で重畳された投影データを再構成して断層画像を生成する。
【００３１】
入力部５３は、オペレータが入力したデータや命令を撮像制御部５５に送り込む。同様に、入力部５４は、オペレータが入力したデータや命令を撮像制御部５６に送り込む。入力部５３，６３は、マウスやキーボードやジョイスティックやトラックボールやタッチパネルなどに代表されるポインティングデバイスで構成されている。出力部５４，６４はモニタなどに代表される表示部やプリンタなどで構成されている。
【００３２】
撮像制御部５５，６５は、本実施例１に係るＰＥＴ−ＣＴ装置１を構成する各部分統括制御する。具体的には、撮像制御部５５は、ＰＥＴ装置３での診断時における寝台駆動部２４の駆動に関しては、寝台駆動制御部２３を介して行わせるとともに、ＰＥＴ駆動部３６の駆動に関しては、ＰＥＴ駆動制御部３５を介して行わせる。撮像制御部６５は、Ｘ線ＣＴ装置４での診断時における寝台駆動部２４の駆動に関しては、寝台駆動制御部２３を介して行わせるとともに、Ｘ線ＣＴ駆動部４５の駆動に関しては、Ｘ線ＣＴ駆動制御部４４を介して行わせる。位置検出センサ３４に基づいてＰＥＴ検出器３３の移動終了のタイミングをＰＥＴ駆動制御部３５が受信したら、ＰＥＴ駆動制御部３５から出力されたデータ収集の命令を撮像制御部５５が受信して、ＰＥＴデータ収集部３７やＣＴデータ収集部６やデータ収集部５１，６１に各々のデータの収集の命令を出力するとともに、画像再構成部５２，６２に投影データの再構成の命令を出力する。また、ＰＥＴデータ収集部３７やＣＴデータ収集部４６やデータ収集部５１，６１で収集された各々のデータや画像再構成部５２，６２で再構成された断層画像を、撮像制御部５５，６５を介して出力部５４，６４に送り込んで出力する。出力部５４，６４が表示部の場合には出力表示し、出力部５４，６４がプリンタの場合には出力印刷する。
【００３３】
放射性薬剤が投与された被検体Ｍから発生したγ線をＰＥＴ検出器３３のγ線検出器群のうち該当するγ線検出器のシンチレータブロックが光に変換して、変換されたその光をγ線検出器の光電子増倍管が光電変換して電気信号に出力する。その電気信号を画像情報（画素値）としてＰＥＴデータ収集部３７に送り込む。
【００３４】
具体的には、被検体Ｍに放射性薬剤を投与すると、ポジトロン放出型のＲＩのポジトロンが消滅することにより、２本のγ線が発生する。ＰＥＴデータ収集部３７は、γ線検出器のシンチレータブロックの位置とγ線の入射タイミングとをチェックし、被検体Ｍを挟んで互いに対向位置にある２つのシンチレータブロックでγ線が同時に入射したとき（すなわち同時計数したとき）のみ、送り込まれた画像情報を適正なデータと判定する。一方のシンチレータブロックのみにγ線が入射したときには、ＰＥＴデータ収集部３７は、ポジトロンの消滅により生じたγ線ではなくノイズとして扱い、そのときに送り込まれた画像情報もノイズと判定してそれを棄却する。
【００３５】
ＰＥＴデータ収集部３７に送り込まれた画像情報を投影データ（ＰＥＴデータ）として、データ収集部５１，６１に送り込む。一方、Ｘ線ＣＴ駆動部４５によってＸ線管４２およびＸ線検出器４３を回転させながらＸ線管４２から被検体ＭにＸ線を照射して、被検体Ｍの外部から照射されて被検体Ｍを透過したＸ線をＸ線検出器４３が電気信号に変換することでＸ線を検出する。Ｘ線検出器４３で変換された電気信号を画像情報（画素値）としてＣＴデータ収集４６に送り込む。ＣＴデータ収集部４６は、送り込まれた画像情報の分布をＸ線検出器４４の投影面に投影された投影データ（ＣＴデータ）として収集して、データ収集部５１，６１に送り込む。
【００３６】
データ収集部５１，６１は、ＰＥＴデータの吸収補正やＰＥＴデータおよびＣＴデータの重畳を行って、画像再構成部５２，６２に送り込み、送り込まれた投影データを画像再構成部５２，６２は再構成して断層画像を生成する。
【００３７】
次に、一連の診断（撮像）における撮像態様について、図１を参照して説明する。図１（ａ）は、ＣＴ装置での診断時の撮像態様であり、図１（ｂ）は、ＰＥＴ装置での診断時の撮像態様である。
【００３８】
被検体Ｍに放射性薬剤を投与して、水平姿勢にして被検体Ｍの頭部をガントリ４１の開口部４１ａに挿入させるように寝台駆動制御部２３（図２を参照）は寝台駆動部２４（図２を参照）を制御して、被検体Ｍを載置した天板２２を移動させてセッティングする。一方、オペレータは、Ｘ線ＣＴ装置４での診断時には撮像条件をＣＴコンソール６（図２を参照）の入力部６３（図２を参照）に入力して、入力された撮像条件を撮像制御部６５（図２を参照）に送り込み、ＰＥＴ装置３での診断時には撮像条件をＰＥＴコンソール５（図２を参照）の入力部５３（図２を参照）に入力して、入力された撮像条件を撮像制御部５５（図２を参照）に送り込む。入力された撮像条件に基づいて、撮像制御部５５は、データの収集の命令をＰＥＴデータ収集部３７（図２を参照）やＣＴデータ収集部４６（図２を参照）やデータ収集部５１，６１（図２を参照）に、ＰＥＴ検出器３３の設置などのＰＥＴ駆動部３６（図２を参照）に関する駆動命令をＰＥＴ駆動制御部３５（図２を参照）にそれぞれ出力する。同じく、入力された撮像条件に基づいて、撮像制御部６５は、データの収集の命令をＰＥＴデータ収集部３７やＣＴデータ収集部４６やデータ収集部５１，６１に、Ｘ線条件（例えば管電圧や管電流）をＸ線管制御部４７（図２を参照）に、Ｘ線管４２やＸ線検出器４３の設置などのＸ線ＣＴ駆動部４５（図２を参照）に関する駆動命令をＸ線ＣＴ駆動制御部４４（図２を参照）にそれぞれ出力する。
【００３９】
先ず、図１（ａ）に示す態様でＸ線ＣＴ装置４での診断を行う。撮像制御部６５は、ＣＴコンソール６の入力部６３から入力されたＸ線条件をＸ線管制御部４７に出力し、Ｘ線ＣＴ駆動部４５の駆動に関しては、Ｘ線ＣＴ駆動制御部４４を介して行わせる。かかるＸ線条件の下で、Ｘ線ＣＴ駆動部４５は、Ｘ線管４２およびＸ線検出器４３を被検体Ｍの体軸の軸心周りに回転させながら、Ｘ線管４２から被検体ＭにＸ線を照射して、被検体Ｍの外部から照射されて被検体Ｍを透過したＸ線をＸ線検出器４３が電気信号に変換することでＸ線を検出する。そして、Ｘ線検出器４３で変換された電気信号を画像情報（画素値）としてＣＴデータ収集部４６は収集して、その送り込まれた画像情報の分布をＸ線検出器４４の投影面に投影された投影データ（ＣＴデータ）として、データ収集部５１，６１に送り込む。
【００４０】
次に、図１（ｂ）に示す態様でＰＥＴ装置３での診断を行う。撮像制御部５５は、ＰＥＴ駆動部３６の駆動に関しては、ＰＥＴ駆動制御部３５を介して行わせる。具体的には、ＰＥＴ駆動部３６の駆動によってＰＥＴ検出器支持部３２とともにＰＥＴ検出器３３が図１（ｂ）に示す位置まで移動するようにＰＥＴ駆動制御部３５が制御する。ＰＥＴ検出器支持部３２とともにＰＥＴ検出器３３が図１（ｂ）に示す位置まで移動したことを、ＰＥＴ検出器支持部３２に設けられた位置検出センサ３４（図２を参照）が検出したら、ＰＥＴ検出器３３の移動終了のタイミングをＰＥＴ駆動制御部３５に出力する。位置検出センサ３４に基づいて移動終了のタイミングをＰＥＴ駆動制御部３５が受信したら、ＰＥＴ駆動制御部３５から出力された制動命令をＰＥＴ駆動部３６が受信し、ＰＥＴ駆動制御部３５から出力されたデータ収集の命令を撮像制御部５５が受信する。制動命令をＰＥＴ駆動部３６が受信したら、ＰＥＴ駆動部３６が駆動を停止することでＰＥＴ検出器支持部３２とともにＰＥＴ検出器３３の停止終了のための制動を行う。
【００４１】
ＰＥＴ検出器３３のγ線検出器は、放射性薬剤が投与された被検体Ｍから発生したγ線を検出し、撮像制御部５５は、データの収集の命令をＰＥＴデータ収集部３７に出力して、ＰＥＴ検出器３３のγ線検出器で同時計数されたγ線の計数値とγ線の入射位置とγ線の発生位置とを画像情報としてＰＥＴデータ収集部３７は収集する。そして、ＰＥＴデータ収集部３７に送り込まれた画像情報を投影データ（ＰＥＴデータ）として、データ収集部５１，６１に送り込む。
【００４２】
ＰＥＴ装置３およびＸ線ＣＴ装置４の診断がそれぞれ済んだら、撮像制御部５５，６５は、データの収集の命令をデータ収集部５１，６１に出力して、データ収集部５１，６１は、ＰＥＴデータの吸収補正やＰＥＴデータおよびＣＴデータの重畳を行って、画像再構成部５２，６２（図２を参照）に送り込み、送り込まれた投影データを画像再構成部５２，６２は再構成して断層画像を生成する。そして、生成された断層画像を、撮像制御部５５を介して出力部５４（図２を参照）に送り込んで出力、あるいは撮像制御部６５を介して出力部６４（図２を参照）に送り込んで出力する。なお、必要に応じてＰＥＴデータ収集部３７やＣＴデータ収集部４６で収集された投影データを、撮像制御部５５，５６を介して出力部５４に送り込んで出力してもよい。
【００４３】
上述の構成を備えた本実施例１に係るＰＥＴ−ＣＴ装置１によれば、ＰＥＴ検出器３３のγ線検出器群またはＸ線検出器４３のいずれか一方を、被検体Ｍ（本実施例１では被検体Ｍの頭部）を通す開口部４１ａを有したガントリ４１内に配設するとともに、他方をガントリ４１の開口部４１ａに挿入可能に配設することで、ＰＥＴ検出器３３のγ線検出器群での検出によるＰＥＴデータ（核医学用データ）の収集、またはＸ線検出器４３での検出によるＣＴデータ（Ｘ線ＣＴ用のデータ）の収集のいずれか一方は、ガントリ４１内に配設された検出手段（本実施例１ではＸ線検出器４３）によって行われ、他方はガントリ４１の開口部４１ａに挿入可能に配設された検出手段（本実施例１ではＰＥＴ検出器３３）によって行われる。その結果、いずれの検出手段によるデータの収集も１つのガントリ４１で行われ、図１（ｂ）に示すようにガントリ４１を短くしてＰＥＴデータ（核医学用データ）とともに異なる種類のデータ（本実施例１ではＣＴデータ）を収集することができる。
【００４４】
本実施例１では、好ましくは、上述したガントリ４１内にＸ線検出器４３を配設するとともに、ＰＥＴ検出器３３のγ線検出器群をガントリ４１の開口部４１ａに挿入可能に配設している。ＰＥＴ検出器３３において、それを構成するγ線検出器群は、通常、軸心周りに円状に配設されて構成されているので、γ線検出器群を被検体Ｍに近接させて感度および空間分解能を上げるためには、γ線検出器群の径は小さい方が好ましい。したがって、ガントリ４１内にＸ線検出器４３を配設するとともに、ＰＥＴ検出器３３のγ線検出器群をガントリ４１の開口部４１ａに挿入可能に配設することで、ガントリ４１の内径よりも小さくγ線検出器群をそれぞれ配設することができて、γ線検出器群を被検体Ｍに近接させて感度および空間分解能を上げることができる。
【実施例２】
【００４５】
次に、図面を参照してこの発明の実施例２を説明する。
図３は、実施例２に係るトランスミッション型のＰＥＴ装置の側面図であり、図４は、実施例２に係るトランスミッション型のＰＥＴ装置のブロック図である。本実施例２では、核医学診断装置として、上述した実施例１と同様にＰＥＴ (Positron Emission Tomography) 装置を例に採って説明するとともに、データ収集装置としてトランスミッション装置を例に採って説明し、診断システムとしてＰＥＴ装置とトランスミッション装置とを組み合わせたトランスミッション型のＰＥＴ装置を例に採って説明する。
【００４６】
図３に示すように、本実施例２に係るトランスミッション型のＰＥＴ装置１は、上述した実施例１と同様に、寝台２とＰＥＴ装置３とを備えている。本実施例２では、上述した実施例１のＸ線ＣＴ装置４の替わりにトランスミッション装置７を備えている。トランスミッション型のＰＥＴ装置１は、この発明における診断システムに相当し、ＰＥＴ装置３は、この発明における核医学診断装置に相当し、トランスミッション装置７は、この発明におけるデータ収集装置に相当する。
【００４７】
本実施例２では、ＰＥＴ装置３での診断時・Ｘ線ＣＴ装置４での診断時においても天板２２を移動させることが可能で、特に、図３（ｂ）に示すようにＰＥＴ装置３での診断のために天板２２を移動させてセッティングする。この天板２２の移動に同期して後述するトランスミッション装置７のガントリ７１を被検体Ｍの体軸方向に沿って移動させることで、被検体Ｍの頭部はガントリ７１の開口部７１ａに挿入された状態で被検体Ｍの体軸方向に沿って移動することになる。
【００４８】
また、本実施例２では、ＰＥＴ装置３のＰＥＴ検出器支持部３２およびＰＥＴ検出器３３は固定である。もちろん、上述した実施例１と同様に、ＰＥＴ検出器支持部３２およびＰＥＴ検出器３３を移動させてもよい。なお、基台３１の上にガントリ７１を立設し、ガントリ７１は基台３１に対してスライド移動可能である。それ以外の寝台２０やＰＥＴ装置３については、上述した実施例１と同じであるので、その説明を省略する。
【００４９】
トランスミッション装置７は、被検体Ｍの頭部を通す開口部７１ａを有したガントリ７１を備えている。ガントリ７１内には、被検体Ｍに投与する放射性薬剤、すなわち放射性同位元素（ＲＩ）と同種の放射線（本実施例２ではγ線）を照射させる線源７２と、被検体Ｍを透過したγ線を検出するトランスミッション検出器７３とを配設している。モータ（図示省略）の駆動によってガントリ７１内で線源７２を被検体Ｍの体軸の軸心周りに回転させる。トランスミッション検出器７３については被検体Ｍの体軸の軸心周りに円状に配設しており、静止させている。もちろん、線源７２と同様に、トランスミッション検出器７３を被検体Ｍの体軸の軸心周りに回転させてもよい。トランスミッション検出器７３は、この発明における収集データ用検出手段に相当する。
【００５０】
上述したように、ガントリ７１は、図３（ａ）に示す位置から図３（ｂ）に示す位置まで基台３１に対してスライド移動可能である。ガントリ７１の移動に伴って、それに配設された線源７２およびトランスミッション検出器７３も移動する。上述した実施例１のＰＥＴ検出器支持部３２と同様に、ガントリ７１の構造についても特に限定されない。例えば、基台３１に溝部を設け、その溝部に嵌合するラックをガントリ７１の底部に配設するとともに、ガントリ７１にモータを配設し、モータの駆動によって基台３１の溝部に嵌合されたラックを移動させることでガントリ７１をスライド移動させてもよい。その他にも、基台３１にレールを配設し、ガントリ７１にモータを配設するとともに、ガントリ７１の底部に車輪等を配設して、モータの駆動によってレール上を移動するようにしてもよい。
【００５１】
なお、上述したようにガントリ７１内にトランスミッション検出器７３を配設している。そして、本実施例２では、ＰＥＴ検出器３３のγ線検出器群をガントリ７１の開口部７１ａに挿入可能に配設している。図３（ｂ）に示す位置にガントリ７１とともに線源７２およびトランスミッション検出器７３が移動したときに、ＰＥＴ検出器３３のγ線検出器群はガントリ７１の開口部７１ａに挿入される。
【００５２】
続いて、トランスミッション型のＰＥＴ装置１のブロック図について説明する。図４に示すように、トランスミッション型のＰＥＴ装置１は、上述した寝台２やＰＥＴ装置３やトランスミッション装置７の他に、ＰＥＴコンソール５を備えている。本実施例２では、ＰＥＴコンソール５が１つのコンソールとして一体となっている。
【００５３】
寝台２およびＰＥＴ装置３のブロック図については、上述した実施例１と同じであるので、その説明を省略する。ＰＥＴコンソール５は、データ収集部５１と画像再構成部５２と入力部５３と出力部５４と撮像制御部５５とを備えており、トランスミッションデータに関する処理もＰＥＴコンソール５で行う。
【００５４】
トランスミッション装置７は、上述したガントリ７１や線源７２やトランスミッション検出器７３の他に、位置検出センサ７４とトランスミッション駆動制御部７５とトランスミッション駆動部７６とトランスミッションデータ収集部７７と線源駆動部７８とを備えている。
【００５５】
位置検出センサ７４は、例えば上述したガントリ７１にフォトセンサとして設けられており、ガントリ７１が図３（ｂ）に示す位置までスライド移動したときに、フォトセンサの投光素子からの光が、透過型の場合にはＰＥＴ検出器支持部３２によって遮られる（遮光される）あるいは反射型の場合にはＰＥＴ検出器支持部３２によって反射されるのを利用して、図３（ｂ）に示す位置までガントリ７１とともに線源７２およびトランスミッション検出器７３が移動したことを検出する。また、図３（ｂ）に示す位置まで線源７２およびトランスミッション検出器７３が移動したことを位置検出センサ７４が検出したら、線源７２およびトランスミッション検出器７３の移動終了のタイミングをトランスミッション駆動制御部７５に出力する。実施例１で述べた位置検出センサ３４と同様に、位置検出センサ７４については、上述したフォトセンサなどに代表される非接触型センサであってもよいし、マイクロスイッチなどに代表される接触型センサであってもよい。
【００５６】
トランスミッション駆動制御部７５は、トランスミッション駆動部７６を制御し、上述した位置検出センサ７４から移動終了のタイミングを受信したらトランスミッション駆動部７６に制動命令を出力したり、撮像制御部５５にデータ収集の命令を出力する。トランスミッション駆動部７６は、ガントリ７１に配設された上述したようなモータなどで構成されており、モータの駆動によってガントリ７１は基台３１に対してスライド移動可能である。ガントリ７１とともに線源７２およびトランスミッション検出器７３を移動させる場合には、トランスミッション駆動制御部７５がトランスミッション駆動部７６を制御することで、ガントリ７１とともに線源７２およびトランスミッション検出器７３が移動する。トランスミッション駆動制御部７５は、実施例１で述べた撮像制御部５５などと同様に、中央演算処理装置（ＣＰＵ）などで構成されている。
【００５７】
トランスミッション駆動制御部７５は、線源駆動部７８を制御し、トランスミッション検出器７３によってγ線を検出し終えたら、撮像制御部５５にデータ収集の命令を出力する。線源駆動部７８は、上述したようなモータなどで構成されており、モータの駆動によってガントリ７１内で線源７２は被検体Ｍの体軸の軸心周りに回転可能である。線源７２を被検体Ｍの体軸の軸心周りに回転させる場合には、撮像制御部５５が線源駆動部７８を制御することで、線源７２が回転する。
【００５８】
ＰＥＴデータ収集部３７は、ＰＥＴ検出器３３で検出されたγ線に基づいてＰＥＴデータ（核医学用データ）を収集する。ＰＥＴデータ収集部３７は同時計数回路（図示省略）の機能等を備えている。ＰＥＴデータ収集部３７で収集されたＰＥＴデータをデータ収集部５１に送り込む。トランスミッションデータ収集部７７は、トランスミッション検出器７３で検出されたγ線に基づいてγ線吸収係数の分布データをトランスミッションデータ（吸収補正データ）として収集する。トランスミッションデータ収集部７７で収集されたトランスミッションデータをデータ収集部５１に送り込む。
【００５９】
データ収集部５１は、ＰＥＴデータ収集部３７で収集されたＰＥＴデータに、トランスミッションデータ収集部７７で収集されたトランスミッションデータを作用させて、被検体Ｍの体内でのγ線の吸収を考慮した投影データに補正する。すなわち、トランスミッションデータをＰＥＴデータに作用させてＰＥＴデータの吸収補正を行う。データ収集部５１は、吸収補正された投影データを再構成して断層画像を生成する。入力部５３や出力部５４については、上述した実施例１と同じであるので、その説明を省略する。
【００６０】
撮像制御部５５は、本実施例２に係るトランスミッション型のＰＥＴ装置１を構成する各部分統括制御する。具体的には、撮像制御部５５は、図３（ｂ）に示す位置までガントリ７１とともに線源７２およびトランスミッション検出器７３を移動させる場合に、その移動に同期させて寝台駆動部２４を駆動させて天板２２を移動させるときに関して、寝台駆動制御部２３を介して行わせるとともに、トランスミッション駆動部７６の駆動に関しては、トランスミッション駆動制御部７５を介して行う。位置検出センサ７４に基づいて線源７２およびトランスミッション検出器７３の移動終了のタイミングをトランスミッション駆動制御部７５が受信したら、トランスミッション駆動制御部７５から出力されたデータ収集の命令を撮像制御部５５が受信して、ＰＥＴデータ収集部３７やトランスミッションデータ収集部７７やデータ収集部５１に各々のデータの収集の命令を出力するとともに、画像再構成部５２に投影データの再構成の命令を出力する。また、ＰＥＴデータ収集部３７やトランスミッションデータ収集部７７やデータ収集部５１で収集された各々のデータや画像再構成部５２で再構成された断層画像を、撮像制御部５５を介して出力部５４に送り込んで出力する。出力部５４が表示部の場合には出力表示し、出力部５４がプリンタの場合には出力印刷する。
【００６１】
実施例１でも述べたように、被検体Ｍに放射性薬剤を投与して、ＰＥＴデータ収集部３７は、ＰＥＴ検出器３３で検出されたγ線に基づく画像情報を投影データ（ＰＥＴデータ）として、データ収集部５１に送り込む。一方、線源駆動部７８によって線源７２を回転させながら線源７２から被検体Ｍにγ線を照射して、被検体Ｍの外部から照射されて被検体Ｍを透過したγ線をトランスミッション検出器７３が電気信号に変換することでγ線を検出する。トランスミッション検出器７３で変換された電気信号を画像情報（画素値）としてトランスミッションデータ収集部７７に送り込む。トランスミッションデータ収集部７７は、送り込まれた画像情報に基づいてトランスミッションデータ（吸収補正データ）を求める。トランスミッションデータ収集部７７は、γ線またはＸ線の吸収係数とエネルギーとの関係を表す演算を利用することで、ＣＴ用の投影データ、すなわちＸ線吸収係数の分布データをγ線吸収係数の分布データに変換して、γ線吸収係数の分布データをトランスミッションデータ（吸収補正データ）として収集する。トランスミッションデータ収集部７７は、トランスミッションデータをデータ収集部５１に送り込む。
【００６２】
データ収集部５１は、ＰＥＴデータの吸収補正を行って、画像再構成部５２に送り込み、送り込まれた吸収補正後の投影データを画像再構成部５２は再構成して、被検体Ｍの体内でのγ線の吸収を考慮した断層画像を生成する。
【００６３】
次に、一連の診断（撮像）における撮像態様について、図３を参照して説明する。図３（ａ）は、トランスミッション装置での診断時の撮像態様であり、図３（ｂ）は、ＰＥＴ装置での診断時の撮像態様である。
【００６４】
被検体Ｍに放射性薬剤を投与して、水平姿勢にして被検体Ｍの頭部をガントリ７１の開口部７１ａの開口部７１ａに挿入させるように寝台駆動制御部２３（図４を参照）は寝台駆動部２４（図４を参照）を制御して、被検体Ｍを載置した天板２２を移動させてセッティングする。一方、オペレータは、撮像条件をコンソール５（図４を参照）の入力部５３（図４を参照）に入力して、入力された撮像条件を撮像制御部５５（図４を参照）に送り込む。入力された撮像条件に基づいて、撮像制御部５５は、データの収集の命令をＰＥＴデータ収集部３７（図４を参照）やトランスミッションデータ収集部７７（図４を参照）やデータ収集部５１（図４を参照）に、線源７２やトランスミッション検出器７３の設置などの駆動命令をトランスミッション駆動制御部７５（図４を参照）に、線源７２の回転などの駆動命令を線源駆動部７８（図４を参照）にそれぞれ出力する。
【００６５】
先ず、図３（ａ）に示す態様でトランスミッション装置７での診断を行う。撮像制御部５５は、ＰＥＴコンソール５の入力部５３から入力された撮像条件の下で、線源駆動部７８を駆動させて、線源駆動部７８によって線源７２を回転させながら、線源７２から被検体Ｍにγ線を照射して、被検体Ｍの外部から照射されて被検体Ｍを透過したγ線をトランスミッション検出器７３が電気信号に変換することでγ線を検出する。そして、トランスミッション検出器７３で変換された電気信号を画像情報（画素値）としてトランスミッションデータ収集部７７は収集して、その送り込まれた画像情報に基づくγ線吸収係数の分布データをトランスミッションデータ（吸収補正データ）として、データ収集部５１に送り込む。
【００６６】
次に、図３（ｂ）に示す態様でＰＥＴ装置３での診断を行う。撮像制御部５５は、図３（ｂ）に示す位置までガントリ７１とともに線源７２およびトランスミッション検出器７３を移動させる場合に、その移動に同期させて寝台駆動部２４を駆動させて天板２２を移動させるときに関して、寝台駆動制御部２３を介して行わせる。具体的には、撮像制御部５５は、寝台駆動部２４の駆動を、寝台駆動制御部２３を介して行わせ、寝台駆動制御部２３は寝台駆動部２４を制御して、被検体Ｍを載置した天板２２を移動させる。この天板２２の移動に同期して、撮像制御部５５はトランスミッション駆動制御部７５を介してトランスミッション駆動部７６（図４を参照）を駆動させ、トランスミッション駆動部７６によってガントリ７１とともに線源７２およびトランスミッション検出器７３を被検体Ｍの体軸方向に沿って移動させる。ガントリ７１とともに線源７２およびトランスミッション検出器７３が図３（ｂ）に示す位置まで移動したことを、ガントリ７１に設けられた位置検出センサ７４（図４を参照）が検出したら、線源７２およびトランスミッション検出器７３の移動終了のタイミングをトランスミッション駆動制御部７５に出力する。位置検出センサ７４に基づいて移動終了のタイミングをトランスミッション駆動制御部７５が受信したら、トランスミッション駆動制御部７５から出力された制動命令をトランスミッション駆動部７６が受信し、トランスミッション駆動制御部７５から出力されたデータ収集の命令を撮像制御部５５が受信する。制動命令をトランスミッション駆動部７６が受信したら、トランスミッション駆動部７６が駆動を停止することでガントリ７１とともに線源７２およびトランスミッション検出器７３の停止終了のための制動を行う。
【００６７】
ＰＥＴ検出器３３のγ線検出器は、放射性薬剤が投与された被検体Ｍから発生したγ線を検出し、撮像制御部５５は、データの収集の命令をＰＥＴデータ収集部３７に出力して、ＰＥＴ検出器３３のγ線検出器で同時計数されたγ線の計数値とγ線の入射位置とγ線の発生位置とを画像情報としてＰＥＴデータ収集部３７は収集する。そして、ＰＥＴデータ収集部３７に送り込まれた画像情報を投影データ（ＰＥＴデータ）として、データ収集部５１に送り込む。
【００６８】
ＰＥＴ装置３およびトランスミッション装置７の診断がそれぞれ済んだら、撮像制御部５５は、データの収集の命令をデータ収集部５１に出力して、データ収集部５１は、ＰＥＴデータの吸収補正を行って、画像再構成部５２（図４を参照）に送り込み、送り込まれた（吸収補正後の）投影データを画像再構成部５２は再構成して断層画像を生成する。そして、生成された断層画像を、撮像制御部５５を介して出力部５４（図４を参照）に送り込んで出力する。なお、必要に応じてＰＥＴデータ収集部３７やトランスミッションデータ収集部７７で収集された投影データを、撮像制御部５５を介して出力部５４に送り込んで出力してもよい。
【００６９】
上述の構成を備えた本実施例２に係るトランスミッション型のＰＥＴ装置１によれば、ＰＥＴ検出器３３のγ線検出器群またはトランスミッション検出器７３のいずれか一方を、被検体Ｍ（本実施例２では被検体Ｍの頭部）を通す開口部７１ａを有したガントリ７１内に配設するとともに、他方をガントリ７１の開口部７１ａに挿入可能に配設することで、ＰＥＴ検出器３３のγ線検出器群での検出によるＰＥＴデータ（核医学用データ）の収集、またはトランスミッション検出器７３での検出によるトランスミッションデータ（吸収補正データ）の収集のいずれか一方は、ガントリ７１内に配設された検出手段（本実施例２ではトランスミッション検出器７３）によって行われ、他方はガントリ７１の開口部７１ａに挿入可能に配設された検出手段（本実施例２ではＰＥＴ検出器３３）によって行われる。その結果、いずれの検出手段によるデータの収集も１つのガントリ７１で行われ、図３（ｂ）に示すようにガントリ７１を短くしてＰＥＴデータ（核医学用データ）とともに異なる種類のデータ（本実施例２ではトランスミッションデータ）を収集することができる。
【００７０】
本実施例２では、好ましくは、上述したガントリ７１内にトランスミッション検出器７３を配設するとともに、ＰＥＴ検出器３３のγ線検出器群をガントリ７１の開口部７１ａに挿入可能に配設している。ＰＥＴ検出器３３において、それを構成するγ線検出器群は、通常、軸心周りに円状に配設されて構成されているので、γ線検出器群を被検体Ｍに近接させて感度および空間分解能を上げるためには、γ線検出器群の径は小さい方が好ましい。したがって、ガントリ７１内にトランスミッション検出器７３を配設するとともに、ＰＥＴ検出器３３のγ線検出器群をガントリ７１の開口部７１ａに挿入可能に配設することで、ガントリ７１の内径よりも小さくγ線検出器群をそれぞれ配設することができて、γ線検出器群を被検体Ｍに近接させて感度および空間分解能を上げることができる。
【００７１】
この発明は、上記実施形態に限られることはなく、下記のように変形実施することができる。
【００７２】
（１）上述した各実施例では、ＰＥＴ装置とデータ収集装置（実施例１ではＸ線ＣＴ装置４、実施例２ではトランスミッション装置７）とを組み合わせた装置を例に採って説明したが、この発明は、単一のγ線を検出して被検体の断層画像を再構成するＳＰＥＣＴ（Single Photon Emission CT）装置とデータ収集装置とを組み合わせた装置などにも適用することができる。
【００７３】
（２）上述した各実施例では、被検体の頭部を診断する装置を例に採って説明したが、それ以外の箇所（例えば脚部）を診断する装置に適用してもよい。
【００７４】
（３）上述した各実施例では、ガントリ内に収集データ用検出手段（実施例１ではＸ線検出器４３、実施例２ではトランスミッション検出器７３）を配設するとともに、核医学用検出手段（実施例１，２ではＰＥＴ検出器３３）のγ線検出器群をガントリの開口部に挿入可能に配設したが、γ線検出器群を被検体に近接させて感度および空間分解能を上げるのを考慮しなければ、これに限定されない。逆に、ガントリ内に核医学用検出手段（ＰＥＴ検出器３３）を配設するとともに、収集データ用検出手段（実施例１ではＸ線検出器４３、実施例２ではトランスミッション検出器７３）をガントリの開口部に挿入可能に配設してもよい。
【００７５】
（４）上述した実施例１では、データ収集装置としてＸ線ＣＴ装置４を例に採って説明し、上述した実施例２では、データ収集装置としてトランスミッション装置７を例に採って説明したが、これらのデータ収集装置に限定されない。核医学用データと異なる種類のデータであって、被検体に関するデータを収集するために、被検体に関するデータを検出する収集データ用検出手段を備えたデータ収集装置であれば、核磁気共鳴装置などに例示されるように特に限定されない。
【図面の簡単な説明】
【００７６】
【図１】実施例１に係るＰＥＴ−ＣＴ装置の側面図であり、（ａ）はＣＴ装置での診断時の撮像態様、（ｂ）はＰＥＴ装置での診断時の撮像態様である。
【図２】実施例１に係るＰＥＴ−ＣＴ装置のブロック図である。
【図３】実施例２に係るトランスミッション型のＰＥＴ装置の側面図であり、（ａ）はトランスミッション装置での診断時の撮像態様、（ｂ）はＰＥＴ装置での診断時の撮像態様である。
【図４】実施例２に係るトランスミッション型のＰＥＴ装置のブロック図である。
【符号の説明】
【００７７】
１  …  ＰＥＴ−ＣＴ装置、トランスミッション型のＰＥＴ装置
３  …  ＰＥＴ装置
４  …  Ｘ線ＣＴ装置
７  …  トランスミッション装置
３３  …  ＰＥＴ検出器
４１，７１  …  ガントリ
４３  …  Ｘ線検出器
４７  …  回転部
７３  …  トランスミッション検出器
Ｍ  …  被検体
【図１】
0005262152.tif 000002
【図２】
0005262152.tif 000003
【図３】
0005262152.tif 000004
【図４】
0005262152.tif 000005